【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
全体画像上に配置される認識処理すべき部分画像を包含するフィールド領域のそれぞれに対する認識処理結果を表示制御する情報処理装置であって、
前記フィールド領域のそれぞれに含まれる部分画像と当該部分画像に対する認識処理結果とを対応付けてフィールド領域毎に管理する管理手段と、
前記管理手段により管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御手段とを有し、
前記表示制御手段は、前記取得した部分画像と当該部分画像に対する認識処理結果との複数の組の中から選択された組を、前記着目領域へ順次切り替えて表示することを特徴とする情報処理装置。
【請求項２】
前記表示制御手段は、前記取得した部分画像と当該部分画像に対する認識処理結果との複数の組の中から選択された組を、複数の前記着目領域へ順番に遷移させて表示することを特徴とする請求項１に記載の情報処理装置。
【請求項３】
前記表示制御手段は、前記認識処理結果に対する評価値に応じて、前記取得した部分画像と当該部分画像に対する認識処理結果との複数の組を、高い評価値の場合には、前記着目領域へ表示するタイミングを速め、低い評価値の場合には、前記着目領域へ表示するタイミングを遅くすることを特徴とする請求項１または２に記載の情報処理装置。
【請求項４】
前記着目領域は、複数設定可能であり、他の着目領域より大きな着目領域を有することを特徴とする請求項１乃至３のいずれか１項に記載の情報処理装置。
【請求項５】
前記表示制御手段は、前記大きな着目領域に前記取得した部分画像と当該部分画像に対する認識処理結果との組を表示させた後、当該部分画像と当該部分画像に対する認識処理結果との組を、前記他の着目領域へ表示させることを特徴とする請求項４に記載の情報処理装置。
【請求項６】
前記認識処理結果に対する修正の指示を受け付ける修正指示受付手段を更に有し、
前記表示制御手段は、前記修正指示受付手段により修正の指示を受け付けた場合、前記着目領域への切り替え表示を停止することを特徴とする請求項１乃至５のいずれか１項に記載の情報処理装置。
【請求項７】
前記認識処理結果に対する評価値に応じて、利用者に注意を促すために報知する報知手段を更に有することを特徴とする請求項１乃至６のいずれか１項に記載の情報処理装置。
【請求項８】
全体画像上に配置される認識処理すべき部分画像を包含するフィールド領域のそれぞれに対する認識処理結果を表示制御する情報処理装置の制御方法であって、
前記フィールド領域のそれぞれに含まれる部分画像と当該部分画像に対する認識処理結果とを対応付けてフィールド領域毎に管理する管理ステップと、
前記管理ステップにより管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御ステップとを有し、
前記表示制御ステップでは、前記取得した部分画像と当該部分画像に対する認識処理結果との複数の組の中から選択された組を、前記着目領域へ順次切り替えて表示することを特徴とする情報処理装置の制御方法。
【請求項９】
全体画像上に配置される認識処理すべき部分画像を包含するフィールド領域のそれぞれに対する認識処理結果を表示制御する情報処理装置の制御方法をコンピュータに実行させるためのプログラムであって、
前記フィールド領域のそれぞれに含まれる部分画像と当該部分画像に対する認識処理結果とを対応付けてフィールド領域毎に管理する管理ステップと、
前記管理ステップにより管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御ステップとをコンピュータに実行させ、
前記表示制御ステップでは、前記取得した部分画像と当該部分画像に対する認識処理結果との複数の組の中から選択された組を、前記着目領域へ順次切り替えて表示することを特徴とするプログラム。
【請求項１０】
請求項９に記載のプログラムを記憶したことを特徴とするコンピュータ読み取り可能な記憶媒体。
【手続補正２】
【補正対象書類名】明細書
【補正対象項目名】００１２
【補正方法】変更
【補正の内容】
【００１２】
本発明の情報処理装置は、全体画像上に配置される認識処理すべき部分画像を包含するフィールド領域のそれぞれに対する認識処理結果を表示制御する情報処理装置であって、前記フィールド領域のそれぞれに含まれる部分画像と当該部分画像に対する認識処理結果とを対応付けてフィールド領域毎に管理する管理手段と、前記管理手段により管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御手段とを有し、前記表示制御手段は、前記取得した部分画像と当該部分画像に対する認識処理結果との複数の組の中から選択された組を、前記着目領域へ順次切り替えて表示する。
【手続補正３】
【補正対象書類名】明細書
【補正対象項目名】００１３
【補正方法】変更
【補正の内容】
【００１３】
本発明の情報処理装置の制御方法は、全体画像上に配置される認識処理すべき部分画像を包含するフィールド領域のそれぞれに対する認識処理結果を表示制御する情報処理装置の制御方法であって、前記フィールド領域のそれぞれに含まれる部分画像と当該部分画像に対する認識処理結果とを対応付けてフィールド領域毎に管理する管理ステップと、前記管理ステップにより管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御ステップとを有し、前記表示制御ステップでは、前記取得した部分画像と当該部分画像に対する認識処理結果との複数の組の中から選択された組を、前記着目領域へ順次切り替えて表示する。
【手続補正４】
【補正対象書類名】明細書
【補正対象項目名】００１４
【補正方法】変更
【補正の内容】
【００１４】
本発明のプログラムは、全体画像上に配置される認識処理すべき部分画像を包含するフィールド領域のそれぞれに対する認識処理結果を表示制御する情報処理装置の制御方法をコンピュータに実行させるためのプログラムであって、前記フィールド領域のそれぞれに含まれる部分画像と当該部分画像に対する認識処理結果とを対応付けてフィールド領域毎に管理する管理ステップと、前記管理ステップにより管理されるフィールド領域に含まれる部分画像と当該部分画像に対する認識処理結果との複数の組を利用者へ着目させるべく、それぞれのフィールド領域に含まれる部分画像を前記全体画像から取得して、当該取得した部分画像と当該部分画像に対する認識処理結果との複数の組を、利用者が着目する着目領域へ表示する表示制御ステップとをコンピュータに実行させ、前記表示制御ステップでは、前記取得した部分画像と当該部分画像に対する認識処理結果との複数の組の中から選択された組を、前記着目領域へ順次切り替えて表示する。